(57)【要約】【課題】  パネルポストを安価な構造で振動しないように確実に係止すること。【解決手段】  ポスト７Ｂと冷陰極管６を支持するための管係止部７Ｃとを備えたパネルポスト７の長尺本体７Ａの裏面１４の中央及び両端に係止片７Ｄ〜７Ｆが一体突設され、その各係止片７Ｄ〜７Ｆに対向してリフレクティングシート４付きリアフレーム５に係止口２０Ａ〜２０Ｃがそれぞれ貫設され、長尺本体７Ａがその表面１３を内側にして弯曲されており、長尺本体７Ａの中央係止片７Ｄをそれに対向する中央係止口２０Ａに係止し、該長尺本体７Ａを弾性変位させて直線状に矯正し、その長尺本体７Ａの両端係止片７Ｅ，７Ｆをそれに対向する両端係止口２０Ｂ，２０Ｃに係止することにより、長尺本体７Ａの中央部及び両端部をリフレクティングシート４付きリアフレーム５に取り付けた。【選択図】        図１
2009277529.tif 000002
【特許請求の範囲】
【請求項１】
表示パネルの後方のリフレクティングシート付きリアフレームに複数の冷陰極管を係止
するための合成樹脂製パネルポストが取り付けられ、該パネルポストが、冷陰極管の配線
方向とは直交する方向に沿って延びる長尺本体と、該長尺本体の表面に所定間隔をおいて
一体突設されたポスト及び複数の管係止部とを有し、そのポストが表示パネルの裏面に当
接または接近されると共に、各管係止部の凹部に各冷陰極管が着脱可能に係止されており
、その各冷陰極管を発光させることにより、表示パネルを後方から照らすようにした薄型
表示装置において、前記長尺本体の裏面の中央及び両端に係止片が一体突設され、その各
係止片に対向してリフレクティングシート付きリアフレームに係止口がそれぞれ貫設され
、前記長尺本体がその表面を内側にして弯曲されており、長尺本体の中央係止片をそれに
対向する中央係止口に係止し、該長尺本体を弾性変位させて直線状に矯正し、その長尺本
体の両端係止片をそれに対向する両端係止口に係止することにより、長尺本体の中央部及
び両端部をリフレクティングシート付きリアフレームに取り付けたことを特徴とする薄型
表示装置。
【請求項２】
前記中央係止片が、長尺本体の裏面中央に垂直状に一体突設した根元部と、該根元部の
先端から長尺本体に沿って両側に延びる抜止部とにより、略Ｔ字状に形成され、前記中央
係止口が、中央係止片の挿通を許容する大径部と、該大径部の側縁から側方に延びて中央
係止片の根元部の通過を許容するスリットとにより、略Ｔ字状に形成されており、中央係
止片を大径部に挿通し、長尺本体をスライドさせて中央係止片の根元部をスリットに挿通
し、その中央係止片の抜止部をリアフレームの裏面に対向させたことを特徴とする請求項
１に記載の薄型表示装置。
【請求項３】
前記両端係止片が、長尺本体の裏面両端に垂直状に一体突設した根元部と、該根元部の
先端から長尺本体の長尺方向に沿って外方に延びる抜止部とにより、略Ｌ字状に形成され
、前記両端係止口が両端係止片の挿通を許容するように矩形状に形成されており、両端係
止片を両端係止口に挿通することにより、その両端係止片の抜止部をリアフレームの裏面
に対向させたことを特徴とする請求項１または２に記載の薄型表示装置。
【請求項４】
前記各抜止部の先端に突起部が一体突設されており、その突起部をリアフレームの裏面
に当接させて各抜止片を弾性変位させることを特徴とする請求項２または３に記載の薄型
表示装置。
【請求項５】
前記長尺本体の中央部に中央係止口よりも大型の中央塞ぎ板が一体形成されると共に、
該長尺本体の両端部に両端係止口よりも大型の両端塞ぎ板が一体形成されており、その長
尺本体をリフレクティングシート付きリアフレームに取り付けたときに、中央係止口が中
央塞ぎ板で塞がれ、両端係止口が両端塞ぎ板で塞がれるようにしたことを特徴とする請求
項１〜４のいずれかに記載の薄型表示装置。
【請求項６】
前記中央塞ぎ板の裏面にストッパ片が一体突設されており、中央係止片の根元部を中央
係止口のスリットに挿通したときに、そのストッパ片が中央係止口の大径部に嵌入されて
、前記根元部がスリットから大径部に向けて抜け出ないようにしたことを特徴とする請求
項５に記載の薄型表示装置。
【発明の詳細な説明】
【技術分野】
【０００１】
本発明は、例えば液晶テレビなどの薄型表示装置に関し、特に、パネルポストを安価な
構造で振動しないように確実に係止することができるようにしたものである。
【背景技術】
【０００２】
薄型表示装置の一例として図７及び図８に示すものがあり、これは液晶テレビであって
、図７は同斜視図、図８は同水平断面図である。
【０００３】
図７及び図８において、キャビネット１の前面開口部に液晶モジュ−ル２が配置され、
該液晶モジュ−ル２内の液晶パネル（表示パネル）３の後方のリフレクティングシート４
付きリアフレーム５に複数の略Ｕ字状冷陰極管（ＣＣＦＬ）６を係止するための合成樹脂
製パネルポスト７が複数取り付けられ、各冷陰極管６の両端から延びる配線８がプリント
配線基板からなるメイン基板９に接続されており、冷陰極管６を発光させることにより、
液晶パネル３を後方から照らす。なお、１０は拡散シート、１１が拡散板である。
【０００４】
従来、前記パネルポスト７は、図９（ａ）の同要部の縦断面図、図９（ｂ）の同要部の
平面図に示すように、冷陰極管６の配管方向ａとは直交する方向ｂに沿って延びる長尺本
体７Ａと、該長尺本体７Ａの表面１３に所定間隔をおいて一体突設されたポスト７Ｂ及び
複数の管係止部７Ｃとを有し、長尺本体７Ａの裏面１４の中央及び両端にロック片１５ａ
〜１５ｃが一体突設され、その各ロック片１５ａ〜１５ｃに対向してリフレクティングシ
ート４付きリアフレーム５にロック孔１６ａ〜１６ｃがそれぞれ貫設され、長尺本体７Ａ
が直線状に成形されている〔図９（ａ）仮想線参照〕。
【０００５】
パネルポスト７の取付手順を説明すると、図９（ａ）に仮想線で示すように、直線状に
成形した長尺本体７Ａを指部で把持し、各ロック片１５ａ〜１５ｃを各ロック孔１６ａ〜
１６ｃに嵌入させることにより、その長尺本体７Ａの中央部及び両端部をリアフレーム５
付きリアフレーム５に取り付ける。その後、各管係止部７Ｃの凹部１７に各冷陰極管６を
着脱可能に係止し、ポスト７Ｂの先端を液晶パネル３の裏面に当接または接近させている
（図８参照）。なお、関連する技術として特許文献１に記載したものがある。
【特許文献１】特開２００４−４３６６号公報
【発明の開示】
【発明が解決しようとする課題】
【０００６】
上記従来の構成では、パネルポスト７の長尺本体７Ａが直線的に成形されてリフレクテ
ィングシート４付きリアフレーム５に密着されていないから、液晶モジュ−ル２の作動に
より発生する振動がパネルポスト７の長尺本体７Ａに伝達されることにより、その長尺本
体７Ａが振動して不快な騒音を発生させることがある。
【０００７】
そこで、図９（ａ）に実線で示すように、長尺本体７Ａの裏面に不織布１８を両面接着
テープで接着し、その不織布１８を介して長尺本体７Ａをリフレクティングシート４付き
リアフレーム５に取り付けることにより、液晶モジュ−ル２の作動により発生する振動を
不織布１８で吸収することが考えられているが、これでは、不織布１８を用いているので
、部品点数が増加してコストアップになる。
【０００８】
本発明は、上記従来の欠点に鑑み、パネルポストを安価な構造で振動しないように確実
に係止することことができるようにした薄型表示装置を提供することを目的としている。
【課題を解決するための手段】
【０００９】
上記目的を達成するため、請求項１に記載の発明は、表示パネルの後方のリフレクティ
ングシート付きリアフレームに複数の冷陰極管を係止するための合成樹脂製パネルポスト
が取り付けられ、該パネルポストが、冷陰極管の配線方向とは直交する方向に沿って延び
る長尺本体と、該長尺本体の表面に所定間隔をおいて一体突設されたポスト及び複数の管
係止部とを有し、そのポストが表示パネルの裏面に当接または接近されると共に、各管係
止部の凹部に各冷陰極管が着脱可能に係止されており、その各冷陰極管を発光させること
により、表示パネルを後方から照らすようにした薄型表示装置において、前記長尺本体の
裏面の中央及び両端に係止片が一体突設され、その各係止片に対向してリフレクティング
シート付きリアフレームに係止口がそれぞれ貫設され、前記長尺本体がその表面を内側に
して弯曲されており、長尺本体の中央係止片をそれに対向する中央係止口に係止し、該長
尺本体を弾性変位させて直線状に矯正し、その長尺本体の両端係止片をそれに対向する両
端係止口に係止することにより、長尺本体の中央部及び両端部をリフレクティングシート
付きリアフレームに取り付けたことを特徴としている。
【００１０】
請求項２に記載の発明は、請求項１に記載の発明において、前記中央係止片が、長尺本
体の裏面中央に垂直状に一体突設した根元部と、該根元部の先端から長尺本体に沿って両
側に延びる抜止部とにより、略Ｔ字状に形成され、前記中央係止口が、中央係止片の挿通
を許容する大径部と、該大径部の側縁から側方に延びて中央係止片の根元部の通過を許容
するスリットとにより、略Ｔ字状に形成されており、中央係止片を大径部に挿通し、長尺
本体をスライドさせて中央係止片の根元部をスリットに挿通し、その中央係止片の抜止部
をリアフレームの裏面に対向させたことを特徴としている。
【００１１】
請求項３に記載の発明は、請求項１または２に記載の発明において、前記両端係止片が
、長尺本体の裏面両端に垂直状に一体突設した根元部と、該根元部の先端から長尺本体の
長尺方向に沿って外方に延びる抜止部とにより、略Ｌ字状に形成され、前記両端係止口が
両端係止片の挿通を許容するように矩形状に形成されており、両端係止片を両端係止口に
挿通することにより、その両端係止片の抜止部をリアフレームの裏面に対向させたことを
特徴としている。
【００１２】
請求項４に記載の発明は、請求項２または３に記載の発明において、前記各抜止部の先
端に突起部が一体突設されており、その突起部をリアフレームの裏面に当接させて各抜止
片を弾性変位させることを特徴としている。
【００１３】
請求項５に記載の発明は、請求項１〜４のいずれかに記載の発明において、前記長尺本
体の中央部に中央係止口よりも大型の中央塞ぎ板が一体形成されると共に、該長尺本体の
両端部に両端係止口よりも大型の両端塞ぎ板が一体形成されており、その長尺本体をリフ
レクティングシート付きリアフレームに取り付けたときに、中央係止口が中央塞ぎ板で塞
がれ、両端係止口が両端塞ぎ板で塞がれるようにしたことを特徴としている。
【００１４】
請求項６に記載の発明は、請求項５に記載の発明において、前記中央塞ぎ板の裏面にス
トッパ片が一体突設されており、中央係止片の根元部を中央係止口のスリットに挿通した
ときに、そのストッパ片が中央係止口の大径部に嵌入されて、前記根元部がスリットから
大径部に向けて抜け出ないようにしたことを特徴としている。
【発明の効果】
【００１５】
請求項１に記載の発明によれば、各係止片を各係止口に係止してパネルポストの長尺本
体をリフレクティングシート付きリアフレームに取り付ける際に、弯曲状態の長尺本体を
弾性変位させて直線状に矯正し、これによって発生した押付力で長尺本体の全体をほぼ均
等にリフレクティングシート付きリアフレームに押し付けているので、薄型表示装置の作
動により発生する振動でパネルポストが振動されることがなく、静音化を図ることができ
、騒音吸収用の不織布が不要であって、部品点数が少ないから、経済的である。
【００１６】
請求項２に記載の発明によれば、パネルポストの長尺本体を把持して、中央係止片を中
央係止口の大径部に挿通し、長尺本体をスライドさせるだけで、該中央係止片の根元部を
中央係止口のスリットに挿通し、その中央係止片の抜止部をリアフレームの裏面に対向さ
せて、長尺本体の中央部をリフレクティングシート付きリアフレームに簡単確実に係止す
ることができる。
【００１７】
請求項３に記載の発明によれば、弯曲状態の長尺本体を弾性変位させて直線状に矯正し
た状態で、両端係止片を両端係止口に挿通することにより、その両端係止片の抜止部をリ
アフレームの裏面に対向させて、長尺本体の両端部をリフレクティングシート付きリアフ
レームに簡単確実に係止することができる。
【００１８】
請求項４に記載の発明によれば、各抜止部の先端に一体突設した突起部をリアフレーム
の裏面に当接させて該各抜止部を弾性変位させ、それにより発生した押付力で各突起部を
リアフレームの裏面に弾性的に押し付けることにより、パネルポストを振動されないよう
に一層確実に支持することができる。
【００１９】
請求項５に記載の発明によれば、長尺本体をリフレクティングシート付きリアフレーム
に取り付けるだけで、該長尺本体に一体形成した各塞ぎ板で各係止口が塞がれるから、冷
陰極管から後方に光が漏れるのを確実に阻止することができる。
【００２０】
請求項６に記載の発明によれば、ストッパ片が中央係止口の大径部に嵌入されることに
より、中央係止片の根元部がスリットから大径部に向けて抜け出ないから、パネルポスト
をリフレクティングシート付きリアフレームから不測に外れないように確実に係止するこ
とができる。
【発明を実施するための最良の形態】
【００２１】
図１〜図６は本発明の実施の一形態である薄型表示装置を示すものであり、これは液晶
テレビであって、図１は同要部の分解斜視図、図２は同要部の縦断面図、図３は同要部の
平面図、図４（ａ）は同パネルポストの中央部の拡大縦断面図、図４（ｂ）は同中央部の
拡大平面図、図４（ｃ）はＡ−Ａ矢視図、図４（ｄ）は同中央部の分解斜視図、図５（ａ
）は同パネルポストの両端部の拡大縦断面図、図５（ｂ）は同両端部の拡大平面図、図５
（ｃ）は同両端部の分解斜視図、図６（ａ）及び（ｂ）はパネルポストの取付手順を示す
概略説明図である。
【００２２】
図１〜図３に示すように、長尺本体７Ａの裏面１４の中央及び両端に係止片７Ｄ〜７Ｆ
が一体突設され、その各係止片７Ｄ〜７Ｆに対向してリフレクティングシート４付きリア
フレーム５に係止口２０Ａ〜２０Ｃがそれぞれ貫設され、図２に仮想線で示すように、長
尺本体７Ａがその表面１３を内側にして所定の曲率半径Ｒで弯曲されている。上記以外の
構成は図７〜図９に示す構成とほぼ同じであるから、同一部分に同一符号を付してその説
明を省略する。
【００２３】
図４に示すように、前記中央係止片７Ｄは、長尺本体７Ａの裏面１４の中央に垂直状に
一体突設した根元部７ａと、該根元部７ａの先端から長尺本体７Ａに沿って両側に延びる
抜止部７ｂとにより、側面視略Ｔ字状に形成され、前記中央係止口２０Ａは、中央係止片
７Ｄの挿通を許容する大径部２０ａと、該大径部２０ａの側縁から配管方向ａに沿って延
びて根元部７ａの通過を許容するスリット２０ｂとにより、平面視略Ｔ字状に形成されて
いる。
【００２４】
図５に示すように、前記両端係止片７Ｅ，７Ｆは、長尺本体７Ａの裏面１４の両端に垂
直状に一体突設した根元部７ｃと、該根元部７ｃの先端から長尺本体７Ａの長尺方向に沿
って外方に延びる抜止部７ｄとにより、略Ｌ字状に形成され、前記両端係止口２０Ｂ，２
０Ｃが両端係止片７Ｅ，７Ｆの挿通を許容するように矩形状に形成されている。
【００２５】
パネルポスト７の取付手順を説明すると、図６（ａ）に示すように、パネルポスト７の
長尺本体７Ａを把持して、中央係止片７Ｄを中央係止口２０Ａの大径部２０ａに挿通し、
長尺本体７Ａを配管方向ａにスライドさせることにより、図６（ｂ）に示すように、中央
係止片７Ｄの根元部７ａを中央係止口２０Ａのスリット２０ｂに挿通して、該中央係止片
７Ｄの抜止部７ｂをリアフレーム５の裏面に対向させ〔図４（ａ）参照〕、弯曲状態（図
２仮想線参照）の長尺本体７Ａを弾性変位させて直線状に矯正し、両端係止片７Ｅ，７Ｆ
を両端係止口２０Ｂ，２０Ｃに挿通し、該両端係止片７Ｅ，７Ｆの抜止部７ｄをリアフレ
ーム５の裏面に対向させる〔図５（ａ）参照〕。
【００２６】
上記構成によれば、各係止片７Ｄ〜７Ｆを各係止口２０Ａ〜２０Ｃに係止してパネルポ
スト７の長尺本体７Ａをリフレクティングシート４付きリアフレーム５に取り付ける際に
、弯曲状態の長尺本体７Ａを弾性変位させて直線状に矯正し、これによって発生した押付
力Ｗ（図２実線参照）で長尺本体７Ａの全体をほぼ均等にリフレクティングシート４付き
リアフレーム５に押し付けているので、薄型表示装置の作動により発生する振動でパネル
ポスト７が振動されることがなく、静音化を図ることができ、騒音吸収用の不織布が不要
であって、部品点数が少ないから、経済的である。
【００２７】
また、パネルポスト７の長尺本体７Ａを把持して、中央係止片７Ｄを中央係止口２０Ａ
の大径部２０ａに挿通し、長尺本体７Ａを配管方向ａにスライドさせるだけで、該中央係
止片７Ｄの根元部７ａを中央係止口２０Ａのスリット２０ｂに挿通し、その中央係止片７
Ｄの抜止部７ｂをリアフレーム５の裏面に対向させて、長尺本体７Ａの中央部をリフレク
ティングシート４付きリアフレーム５に簡単確実に係止することができる。
【００２８】
更に、弯曲状態の長尺本体７Ａを弾性変位させて直線状に矯正した状態で、両端係止片
７Ｅ，７Ｆを両端係止口２０Ｂ，２０Ｃに挿通することにより、その両端係止片７Ｅ，７
Ｆの抜止部７ｄをリアフレーム５の裏面に対向させて、長尺本体７Ａの両端部をリフレク
ティングシート４付きリアフレーム５に簡単確実に係止することができる。
【００２９】
図２に示すように、各抜止部７ｂ，７ｄの先端に突起部７ｅが一体突設され、該各突起
部７ｅと長尺本体７Ａの裏面１４との間の間隔ｈがリフレクティングシート４付きリアフ
レーム５の厚さｔよりも小さく設定されており（ｈ＜ｔ）、その各突起部７ｅをリアフレ
ーム５の裏面１４に押し付けて各抜止部７ｂ，７ｄを弾性変位させている。
【００３０】
上記構成によれば、各抜止部７ｂ，７ｄを弾性変位させることにより発生した押付力で
各突起部７ｅをリアフレーム５の裏面１４に弾性的に押し付けることにより、パネルポス
ト７を振動されないように一層確実に支持することができる。
【００３１】
図３に示すように、長尺本体７Ａの中央部に中央係止口２０Ａよりも大型の中央塞ぎ板
７Ｇが一体形成されると共に、該長尺本体７Ａの両端部に両端係止口２０Ｂ，２０Ｃより
も大型の両端塞ぎ板７Ｈ，７Ｉが一体形成されており、その長尺本体７Ａをリフレクティ
ングシート４付きリアフレーム５に取り付けたときに、中央係止口２０Ａが中央塞ぎ板７
Ｇで塞がれ、両端係止口２０Ｂ，２０Ｃが両端塞ぎ板７Ｈ，７Ｉで塞がれる。
【００３２】
上記構成によれば、長尺本体７Ａをリフレクティングシート４付きリアフレーム５に取
り付けるだけで、該長尺本体７Ａに一体形成した各塞ぎ板７Ｇ〜７Ｉで各係止口２０Ａ〜
２０Ｃが塞がれるから、冷陰極管６から後方に光が漏れるのを確実に阻止することができ
る。
【００３３】
図４に示すように、中央塞ぎ板７Ｇの裏面にストッパ片７Ｊが一体突設されており、中
央係止片７Ｄの根元部７ｃを中央係止口２０Ａのスリット２０ｂに挿通したときに、その
ストッパ片７Ｊが中央係止口２０Ａの大径部２０ａに嵌入されて、前記根元部７ｃがスリ
ット２０ｂから大径部２０ａに向けて抜け出ないようにしており、これによって、パネル
ポスト７をリフレクティングシート４付きリアフレーム５から不測に外れないように確実
に係止することができる。
【図面の簡単な説明】
【００３４】
【図１】本発明の実施の一形態である薄型表示装置の要部の分解斜視図である。
【図２】同要部の縦断面図である。
【図３】同要部の平面図である。
【図４】（ａ）は同パネルポストの中央部の拡大縦断面図、（ｂ）は同中央部の拡大平面図、（ｃ）はＡ−Ａ矢視図、（ｄ）は同中央部の分解斜視図である。
【図５】（ａ）は同パネルポストの両端部の拡大縦断面図、（ｂ）は同両端部の拡大平面図、（ｃ）は同両端部の分解斜視図である。
【図６】（ａ）及び（ｂ）はパネルポストの取付手順を示す概略説明図である。
【図７】薄型表示装置の斜視図である。
【図８】同水平断面図である。
【図９】（ａ）は同要部の縦断面図、（ｂ）は同要部の平面図である。
【符号の説明】
【００３５】
３              液晶パネル（表示パネル）
４              リフレクティングシート
５              リアフレーム
６              冷陰極管
７              パネルポスト
７Ａ            長尺本体
７Ｂ            ポスト
７Ｃ            管係止部
７Ｄ            中央係止片
７Ｅ，７Ｆ      両端係止片
７Ｇ            中央塞ぎ板
７Ｈ，７Ｉ      両端塞ぎ板
７Ｊ            ストッパ片
７ａ            中央係止片の根元部
７ｂ            中央係止片の抜止部
７ｃ            両端係止片の根元部
７ｄ            両端係止片の抜止部
７ｅ            突起部
１３            長尺本体の表面
１４            長尺本体の裏面
２０Ａ          中央係止口
２０ａ          中央係止口の大径部
２０ｂ          中央係止口のスリット
２０Ｂ，２０Ｃ  両端係止口
【図１】
2009277529.tif 000003
【図２】
2009277529.tif 000004
【図３】
2009277529.tif 000005
【図４】
2009277529.tif 000006
【図５】
2009277529.tif 000007
【図６】
2009277529.tif 000008
【図７】
2009277529.tif 000009
【図８】
2009277529.tif 000010
【図９】
2009277529.tif 000011